(57)【特許請求の範囲】
【請求項１】
車両情報を警報音として車外へ向け発する車両の警報音発生装置において、
車両の動力源ユニットが納められている車体の動力源ルーム内にあって、前記動力源ユニットを支持するアドオンフレームと、前方からの車両走行風を前記動力源ユニットへ導くエアガイドと、車体のホイールハウスを画成するフェンダーカバーとで囲まれた、動力源ルームの異物が侵入しない既存空間内に、前記警報音を発する警報音発生源を設置し、
該既存空間を、前記警報音発生源の共鳴箱として利用するよう構成したことを特徴とする車両の警報音発生装置。
【請求項２】
請求項1に記載された車両の警報音発生装置において、
前記警報音発生源は、警報音伝搬方向が、前記既存空間を画成する壁面と対向するよう配して前記既存空間内に取り付け、
前記警報音発生源からの警報音が、前記壁面により反射され、前記既存空間内で拡散された後、既存空間画成壁面における開口部より車外へ放散されるよう構成したことを特徴とする車両の警報音発生装置。
【発明の詳細な説明】
【技術分野】
【０００１】
本発明は、車両の存在や、シフト操作、アクセル操作、ブレーキ操作などによる運転者の意図や、車両の進行方向や、車速を含む走行状態などの車両情報を、車外へ警報音として発する車両の警報音発生装置に関するものである。
【背景技術】
【０００２】
運転音や走行音が静かな車両（内燃機関搭載車を含む）、特に電動機のみで電気走行する（EV走行する）電気自動車や、電動機のみで走行する電気走行モード（EVモード）を持つハイブリッド車両などの電動車両にあっては、
運転音や走行音の静かさ故に、車両の存在や、シフト操作などによる運転者の意図や、車両の進行方向や、車速を含む走行状態などの車両情報を、車外へ警報音として発し、車両の近くに居る人へ車両情報を警報しなければならない場合がある。
【０００３】
この警報は、車両前後の近くに居る人、および車両左右の近くに居る人、特に車両の進行方向寄り端部（前部または後部）の近くに居る人へ確実に達する必要がある。
この要求を満たす車両の警報音発生装置としては従来、例えば特許文献1に記載のごときものが知られている。
【０００４】
この提案技術は、スピーカやブザーなどの警報音発生源がそれ単体だと指向性が強く、警報音伝搬方向には良く伝わるものの、警報音伝搬方向から外れた方向へは伝わり難いことから、
スピーカやブザーなどの警報音発生源を、車両の前後にそれぞれ配して複数個設け、これら前後複数個の警報音発生源をそれぞれ、警報音伝搬方向が車体外側に指向するよう配して車体に取り付けたものである。
【０００５】
かかる従来の車両用警報音発生装置によれば、車両進行方向に応じて、車両進行方向が前進であれば前端部側の警報音発生源を作動させ、車両進行方向が後退であれば後端部側の警報音発生源を作動させ、これにより前進時も後退時も確実に、車両の進行方向寄りの端部周辺（車両前部周辺または後部周辺）に居る人へ確実に警報音を伝達することができる。
【先行技術文献】
【特許文献】
【０００６】
【特許文献１】特開平０７−３２２４０３号公報
【発明の概要】
【発明が解決しようとする課題】
【０００７】
しかし、上記した先の車両用警報音発生装置にあっては、指向性の強い警報音発生源を車両の前後双方に配して複数個、それぞれの警報音伝搬方向が車体外側に指向するよう配して設けなければならないため、
警報音発生源が必ず複数個必要であって、取り付けブラケットを含めると相当なコスト高になるだけでなく、警報音発生源のレイアウトも困難である。
【０００８】
また、警報音発生源が外向き配置である必要があるため、車輪が跳ね上げた泥水や石により警報音発生源が汚損や損傷を受け易いと共に、雨や雪や高圧洗車水を被って警報音発生源が故障し易いという問題も生ずる。
【０００９】
本発明は、車体には警報音発生源の共鳴箱となり得て、且つ異物が侵入しないような空間が存在し、この既存空間を警報音発生源の共鳴箱として利用可能なように警報音発生源を配置すれば、
車両の警報音発生装置が無指向性のものとなり、警報音発生源が1個のみでも、またこの警報音発生源を外向き配置にしなくても、従って上記した全ての問題を解消しつつ、複数個の警報音発生源を車両の前後に配置した上記従来技術と同等な警報作用が得られるとの事実認識に基づき、この着想を具体化した車両の警報音発生装置を提案することを目的とする。
【課題を解決するための手段】
【００１０】
この目的のため、本発明による車両の警報音発生装置は、以下のごとくにこれを構成する。
先ず、本発明の要旨構成の基礎前提となる車両の警報音発生装置は、車両情報を警報音として車外へ向け発するものである。
【００１１】
本発明は、かかる車両の警報音発生装置において、
車両の動力源ユニットが納められている車体の動力源ルーム内にあって、前記動力源ユニットを支持するアドオンフレームと、前方からの車両走行風を前記動力源ユニットへ導くエアガイドと、車体のホイールハウスを画成するフェンダーカバーとで囲まれた、動力源ルームの異物が侵入しない既存空間内に、前記警報音を発する警報音発生源を設置し、
該既存空間を、前記警報音発生源の共鳴箱として利用するよう構成したことを特徴とするものである。
【発明の効果】
【００１２】
このような本発明の警報音発生装置によれば、
警報音発生源を配置する上記の既存空間が、動力源ルーム内における既存空間のうちでも特に、車輪跳ね上げ異物や雨水のような異物の侵入を阻止するよう車両前後方向前方および後方、また、車幅方向外側方および内側方、更に、車両上下方向下方を囲まれた空間である（上方は動力源ルームの上部開口を塞ぐボンネットで覆われる）ことから、異物の侵入を阻止するだけでなく、警報音発生源の共鳴箱として利用可能であることに着目し、
当該動力源ルームの既存空間内に警報音発生源を設置し、
この既存空間を、警報音発生源の共鳴箱として利用するよう構成したため、
本発明の警報音発生装置が無指向性のものとなり、警報音発生源が1個のみでも、またこの警報音発生源を外向き配置にしなくても、前記した従来技術のように複数個の警報音発生源を車両の前後に配置する場合と同等な警報作用が得られる。
【００１３】
そして、上記の通り警報音発生源が1個のみでよいことから、その取り付けブラケット分および取り付け作業性を含めて相当なコスト低減を実現し得る共に、警報音発生源のレイアウトに難儀することもなくなる。
【００１４】
また上記の通り、警報音発生源を上記の既存空間内に設置するに際し外向き配置にしなくてもよいことから、警報音発生源がどの箇所も、当該既存空間から露出されないこととなり、当該既存空間が前記の通り異物の侵入を阻止する空間であることとも相まって、車輪が跳ね上げた泥水や石により警報音発生源が汚損や損傷を受けることがないと共に、雨や雪や高圧洗車水を警報音発生源が被って故障することもなくなる。
【図面の簡単な説明】
【００１５】
【図１】本発明の一実施例になる車両の警報音発生装置を、車両の左前部上方から見て示す斜視図である。
【図２】図1の警報音発生装置が搭載された車両の左前部を上方から見て示す平面図である。
【図３】図1における警報音発生装置の要部をなす警報音発生源の取り付け部を示す詳細斜視図である。
【図４】図1における警報音発生装置の要部をなす警報音発生源の取り付け部を拡大して示す拡大詳細斜視図である。
【図５】図1〜4に示した警報音発生装置における警報音発生源の制御システムを示す制御系統図である。
【図６】図5に示した警報音コントローラが実行する前発進警報音（S音）の制御プログラムを示すフローチャートである。
【図７】図5に示した警報音コントローラが実行する前進警報音（D音）の制御プログラムを示すフローチャートである。
【図８】図5に示した警報音コントローラが実行する後退警報音（R音）の制御プログラムを示すフローチャートである。
【図９】図5に示した警報音コントローラが実行する警報音禁止制御プログラムを示すフローチャートである。
【図１０】図5に示した警報音コントローラが実行する警報音増大制御プログラムを示すフローチャートである。
【発明を実施するための形態】
【００１６】
以下、本発明の実施の形態を、図面に示す実施例に基づき詳細に説明する。
＜実施例の構成＞
図1〜4は、本発明の一実施例になる車両の警報音発生装置を示し、
図1は、車両の左前部上方から見て示す斜視図、図2は、車両の左前部を上方から見て示す平面図、図3,4はそれぞれ、警報音発生源取り付け部の詳細斜視図である。
【００１７】
本実施例において、警報音発生装置を用いる車両は、電動モータのみを動力源とし、このモータにより電気走行する（EV走行する）電気自動車とする。
しかし本発明は、電動モータおよびエンジンを動力源とし、電動モータのみで走行する電気走行モード（EVモード）と、電動モータおよびエンジンからの動力で走行するハイブリッドモード（HEVモード）とを持つハイブリッド車両や、エンジンのみを動力源とするエンジン搭載車にも同様に適用可能であるのは言うまでもない。
【００１８】
運転音や走行音が静かな車両、特に本実施例のような電気自動車にあっては、運転音や走行音の静かさ故に安全のため、車両の存在や、シフト操作などによる運転者の意図や、車両の進行方向や、車速を含む走行状態などの車両情報を、車外へ警報音として発し、車両の進行方向寄りの前部または後部の近くに居る人へ当該車両情報を知らせるべく警報する必要がある。
【００１９】
そのための警報音発生装置を、本実施例においては以下のごとくに構成する。
警報音発生装置の音源となるべき警報音発生源として、本実施例では車室外スピーカ1を設ける。
【００２０】
この車室外スピーカ1は、電動モータ（動力源）および変速機などから成る動力源ユニット2を収納した車両前部のモータルーム（動力源ルーム）内における既存空間のうち、動力源ユニット2を支持したアドオンフレーム3と、車両前方からの走行風を動力源ユニット2へ導くエアガイド4と、左前輪ホイールハウスを画成するフェンダーカバー5とで囲まれた既存空間内に設ける。
【００２１】
この車室外スピーカ1を設ける既存空間は、モータルーム内における空間のうちでも特に、車輪が跳ね上げた泥水や石などの異物が侵入することがなく、且つ、雨や雪や高圧洗車水のような異物が侵入することのないよう、車両前後方向前方および後方、また、車幅方向外側方および内側方、更に、車両上下方向下方を囲まれた空間（上方は図示せざるボンネットで覆われている）であり、また、それ故に車室外スピーカ（警報音発生源）1の共鳴箱として利用可能な空間でもある。
【００２２】
車室外スピーカ1は上記既存空間内に設けるに当たり、図4に矢αで示す車室外スピーカ1の警報音伝搬方向が、上記既存空間を画成する壁面であるエアガイド4と対向するよう車両前後方向前向きにして、ブラケット6を介しアドオンフレーム3に取着する。
【００２３】
かように取着した車室外スピーカ1からの警報音は、エアガイド4に衝突してこれにより反射され、上記既存空間内で拡散された後、この既存空間の画成壁面を提供するアドオンフレーム3、エアガイド4、フェンダーカバー5およびボンネット（図示せず）間の隙間や、これら自身に明けられている位置決め孔などの既存孔など、上記既存空間画成壁面の開口部より車外へ放散されることとなる。
【００２４】
つまり本実施例では、アドオンフレーム3、エアガイド4、フェンダーカバー5およびボンネット（図示せず）で画成された上記既存空間を車室外スピーカ1の共鳴箱として利用し、これにより、これら既存空間および車室外スピーカ1より成る本実施例の警報音発生装置を無指向性の警報音発生装置として構成する。
【００２５】
＜警報音制御システム＞
上記の車室外スピーカ1は、車室内に設けた車室内スピーカ11と共に、図5の警報音コントローラ12によって作動制御する。
【００２６】
かかる制御のため警報音コントローラ12には、運転者が駐停車および走行方向を指令するために行うシフト操作に応動して、選択レンジが駐車（P）レンジ、後退（R）レンジ、中立（N）レンジ、前進（D）レンジの何れであるのかを検知するレンジセンサ13からの信号と、
車速Vを検出する車速センサ14からの信号と、
ブレーキペダルの踏み込んだ制動状態でONとなり、ブレーキペダルを釈放した被制動状態でOFFとなるブレーキスイッチ15からの信号と、
車室外スピーカ1からの音を消音させたい時に押して指令する消音スイッチ16からの信号と、
車室外スピーカ1からの音を増大させたい時に押して指令する増音スイッチ17からの信号と、
動力源ユニット2を駆動可能な状態にするイグニッションスイッチ18からのON,OFF信号と、
自車と、車両進行方向にある他車両などの障害物との間における距離Lを検出する障害物接近距離センサ19からの信号とを入力する。
【００２７】
＜車室内への警報音＞
図5の警報音コントローラ12は本実施例の場合、車室内スピーカ11を以下のように作動させるものとする。
(1)レンジセンサ13からRレンジ選択信号を受けている間、車室内スピーカ11から、「Rレンジ選択中」を運転者に知らせるための、「Rレンジ選択音」（本実施例では間歇音とする）が発せられるよう、この車室内スピーカ11を作動させる。
(2)障害物接近距離センサ19で検出した障害物までの距離Lが設定距離未満である間、車室内スピーカ11から、「障害物に接近している」ことを運転者に知らせるための、例えば音声による「障害物接近警報」が発せられるよう、この車室内スピーカ11を作動させる。
【００２８】
＜車室外への警報音＞
次に、図5の警報音コントローラ12が実行する車室外スピーカ1の作動制御を以下に説明する。
なお本実施例では、車室外スピーカ1からの警報音として、前発進に先立って警報のために発生させるべき短時間の前発進警報音（S音）と、前進走行時に警報のために発生させるべき前進警報音（D音）と、後退走行時に警報のために発生させるべき後退警報音（R音）とを設定する。
【００２９】
なお、前発進警報音（S音）は、ソフトフォーン型式の「フォア〜ン」のような柔らかい音とし、前進警報音（D音）は、エンジン搭載車が走行中に発生するエンジン音に似せたエンジン疑似音とし、後退警報音（R音）は、Rレンジ選択中に前記したごとく車室内スピーカ11から発生される「Rレンジ選択音」と同じ間歇音とする。
【００３０】
ところで、前進警報音（D音）は上記の通りエンジン疑似音であって、長時間に亘り発生し続けるため、この前進警報音（D音）を聞き続けると気分的に好ましくなく、またこの前進警報音（D音）は運転者に聞かせる必要のない音でもある。
これに対し前発進警報音（S音）は、ソフトフォーン型式の柔らかい音であると共に、発進開始直前から発進開始までの短時間しか発生させない音であるため、運転者にとって気分的に嫌な音でもないし、前発進の警報は、これが発せられたのを運転者が確認できるようにするのが好ましいことから、前発進警報音（S音）は運転者に聞かせたい音である。
【００３１】
これらの要求に鑑み本実施例においては、前進警報音（D音）を以下に説明するようなエンジン疑似音とし、前発進警報音（S音）を以下に説明するようなソフトフォーン型式の柔らかい音とする。
ここで車両の車室内外間における音の伝搬特性を考察するに、車両は、比較的高い或る周波数域（車両によって異なるが、通常は1.5〜6KHz）の音が車室外から車室内へ入りにくく、比較的低い或る周波数域（車両によって異なるが、通常は1.5KHz未満）の音が車室外から車室内へ入り易い造りになっているのが普通である。
【００３２】
これらの実情から本実施例においては前進警報音（D音）を、車室外から車室内へ入りにくく、しかし車外周辺の人が聞き取りやすい比較的高い或る周波数域（好ましくは2〜4KHz）のエンジン疑似音として、不要な前進警報音（D音）が車室内の運転者に聞こえることのないようにし、これにより、運転者がD音（エンジン疑似音）により不快にされることのないようにすると共に、車外周辺の人がD音（エンジン疑似音）を確実に聞き得て車両の存在および走行を認知し得るようになす。
【００３３】
しかし、前発進警報音（S音）も同様なエンジン疑似音にすると、前発進警報音（S音）を車室内の運転者が聞いて前発進の警報がなされたのを認知し得るようにするには、前発進警報音（S音）をクラクション音量よりも大きな大音量にしなければならず、周辺の人を驚かせてしまうことになる。
【００３４】
そこで本実施例においては前発進警報音（S音）を、車室外から車室内へ入り易い比較的低い或る周波数域のソフトフォーン型式の「フォア〜ン」のような柔らかい音とする。
かように定めた前発進警報音（S音）は、その低い周波数域のために車室外から車室内へ入り易く、大音量にすることなしに（周囲の人を驚かせることなしに）車室内の運転者は前発進警報音（S音）を聞き得て、前発進の警報がなされたのを確実に認知することができる。
なお前発進警報音（S音）は、柔らかいソフトフォーン型式の音であると共に、発進開始直前から発進開始までの短時間しか発生させないため、運転者にとって気分的に嫌な音でなく、運転者を不快にすることはない。
【００３５】
＜前発進警報音（S音）＞
前発進警報音（S音）の制御に当たり、図5の警報音コントローラ12は図6の制御プログラムを実行して当該制御を行う。
先ずステップＳ11において、車速Vが停車判定車速Vs（＝1Km/h）未満の停車判定状態で、且つ、イグニッションスイッチ18がONにされた走行可能状態であるか否かをチェックする。
車速Vが停車判定車速Vs（＝1Km/h）以上で、走行状態と判定する場合、或いは、イグニッションスイッチ18がOFFにされた走行不可能状態である場合、制御をそのまま終了してステップＳ15をスキップすることにより、S音を発生させない。
【００３６】
ステップＳ11で、停車（V<Vs）と判定され、且つ、走行可能状態（イグニッションスイッチ18がON）と判定される場合、
ステップＳ12において、ブレーキスイッチ15がOFFの状態（ブレーキ非作動状態）で、Dレンジへのレンジ切り替え操作が有ったか否かをチェックし、
「Yes」であればステップＳ15において、ソフトフォーン型式の柔らかい「フォア〜ン」のようなS音が発生するよう車室外スピーカ1を作動させる。
【００３７】
ステップＳ12での判定が「No」である場合、ステップＳ13において、Dレンジが選択されている状態で、ブレーキスイッチ15がONからOFFに切り替わった（ブレーキペダルを踏み込んだ制動状態からブレーキペダルを釈放した非制動状態へ切り替わった）か否かをチェックし、
「Yes」であればステップＳ15において、ソフトフォーン型式の柔らかい「フォア〜ン」のようなS音が発生するよう車室外スピーカ1を作動させる。
【００３８】
ステップＳ13での判定が「No」である場合、ステップＳ14において、Dレンジへのレンジ切り替え操作と同時に、ブレーキペダルを踏み込んだ制動状態からブレーキペダルを釈放した非制動状態への切り替えが行われた（ブレーキスイッチ15がONからOFFへ切り替わった）か否かをチェックし、
「Yes」であればステップＳ15において、ソフトフォーン型式の柔らかい「フォア〜ン」のようなS音が発生するよう車室外スピーカ1を作動させる。
【００３９】
ところで、ステップＳ13またはステップＳ14において、ブレーキペダルを踏み込み状態からゆっくり戻す操作を行っている間は、未だブレーキペダルから足を離していないため、ブレーキスイッチ15がONのままでOFFに切り替わっていないことから、制御がステップＳ15に進まず、S音を発生し得ない。
【００４０】
かかる緩やかなブレーキペダル戻し操作時にS音が発生したと運転者が勘違いしていると、運転者は、S音により車両付近の人が走行開始を認知している筈であるとの認識をもって運転を行うことから、安全運転上好ましくない。
ちなみに、緩やかなブレーキペダル戻し操作によっても制動力は低下し、車両が例えばクリープ力や、降坂路の路面勾配に起因して動き出すことがあり、安全運転上の注意が必要である。
【００４１】
しかし本実施例においては前記した通り、S音を、車室外から車室内へ入り易い比較的低い或る周波数域の警報音とし、運転者が確実にS音を聞き得て、前発進の警報がなされたのを確実に認知し得るようにしたため、上記した緩やかなブレーキペダル戻し操作時にS音が発生しなかったのを確実に認知することができる。
よって本実施例においては、緩やかなブレーキペダル戻し操作時にS音が発生したと運転者が勘違いすることがなく、運転者は、車両付近の人がS音を聞いておらず、走行開始を認知していないとの認識のもと、安全運転に努めることができ、安全運転上大いに有利である。
【００４２】
ステップＳ14での判定が「No」である場合、制御をそのまま終了してステップＳ15をスキップすることにより、S音を発生させない。
【００４３】
つまり、走行可能状態（イグニッションスイッチ18がON）にされた停車（V<Vs）中に（ステップＳ11）、
ブレーキペダルを釈放した非制動状態でDレンジへのレンジ切り替え操作が有った時（ステップＳ12）、または、
Dレンジ選択状態で、ブレーキペダルを踏み込んだ制動状態からブレーキペダルを釈放した非制動状態へ切り替わった時（ステップＳ13）、或いは、
Dレンジへのレンジ切り替え操作と、ブレーキペダルを踏み込んだ制動状態からブレーキペダルを釈放した非制動状態への切り替えとが同時に行われた時（ステップＳ14）、
ステップＳ15において、S音が発生するよう車室外スピーカ1を作動させ、それ以外では車室外スピーカ1を非作動状態に保ってS音を発生させない。
【００４４】
かように、走行可能状態にされた停車中に（ステップＳ11）、
ブレーキペダル釈放（非制動）状態でDレンジへのシフト操作が有った時（ステップＳ12）、または、
Dレンジ選択状態で、ブレーキペダルを踏み込んでいた足をブレーキペダルから釈放した時（ステップＳ13）、或いは、
Dレンジへのシフト操作と、ブレーキペダルを踏み込んでいた足をブレーキペダルから釈放するブレーキ解放操作とが同時に行われた時に（ステップＳ14）、
ステップＳ15において、S音が発生するよう車室外スピーカ1を作動させる場合、S音が、走行開始直前に発生されることとなる。
【００４５】
ここで、イグニッションスイッチ18のONにより走行可能状態となった時にS音が発生するようにすると、S音の発生が早すぎて、走行可能状態となった時から走行開始直前までの間にS音が無駄に発生することとなり、走行開始まで長い時間があるのに、その間にS音が発生して周辺の人を惑わせるという問題を生ずる。
かといって、走行を開始してからS音が発生するのでは、走行開始を警報するというS音の発生目的に沿わず、警報の意味が薄れるという問題を生ずる。
【００４６】
これに対し本実施例では上記したごとく、S音を走行開始直前に発生させることとしたため、
走行開始まで長い時間があるのにS音が発生して周辺の人を惑わせたり、S音による警報の意味が薄れるという問題を回避することができる。
【００４７】
＜前進警報音（D音）＞
前進警報音（D音）の制御に当たり、図5の警報音コントローラ12は図7の制御プログラムを実行して当該制御を行う。
先ずステップＳ21において、車室外スピーカ1の作動により上記のS音を発生させているか否かをチェックする。
S音発生中であれば、ステップＳ22においてS音発生から所定時間（例えば500msec）が経過したか否かをチェックし、この所定時間（500msec）が経過するまでの間は、制御をそのまま終了してS音を発生させ続ける。
【００４８】
ステップＳ22でS音発生から所定時間（500msec）が経過したと判定した時、つまり、この所定時間だけS音を発生し続けた後は、制御をステップＳ23に進め、ここでS音からD音へのクロスフェードを行わせる。
このS音からD音へのクロスフェードは、発生中のS音の音圧レベルを徐々に低下させつつ、D音（エンジン疑似音）の音圧レベルを徐々に増大させることにより、S音からD音へ徐々に切り替わるよう車室外スピーカ1の作動状態を切り換えることであり、これによりS音からD音への切り替えを、周辺の人に違和感が及ぶことなしに行わせることができる。
【００４９】
ところで本実施例では、図6につき前記したごとくS音を走行開始直前に発生させることとしたため（図6のステップＳ12〜ステップＳ15）、
S音が、これにより車両の発進を警報すべき走行開始直前の最適なタイミングで発生されることとなり、S音に続いて上記のごとくに発せられるD音の発生タイミングも最適なものとなり、走行開始まで長い時間があるのにD音が発生して周辺の人を惑わせたり、D音による前進走行の警報の意味が薄れるという問題を回避することができる。
【００５０】
ステップＳ21で車室外スピーカ1がS音を発生させていないと判定する場合、ステップＳ24においてイグニッションスイッチ18がONの走行可能状態か否かをチェックし、
走行可能状態であれば、ステップＳ25においてDレンジ選択状態か否かをチェックし、
Dレンジ選択状態であれば、ステップＳ26において車速Vが停車判定車速Vs以上の走行判定中か否かをチェックする。
ステップＳ24で走行可能状態と判定し、ステップＳ25でDレンジ選択状態と判定し、ステップＳ26で走行中（V≧Vs）と判定するとき、ステップＳ27において、D音（エンジン疑似音）が発生するよう車室外スピーカ1を作動させる。
【００５１】
なお、D音は前記した通りエンジン疑似音とするが、その音圧レベルを一定に保ったまま、その周波数を、車室外から車室内へ入りにくい比較的高い前記或る高周波数域内において、高車速時ほど高くなる周波数に定める。
かようにD音を、音圧レベル一定とし、その周波数が高車速時ほど高くなるようなエンジン疑似音とする場合、
車外の人にとっては、D音の音量から車両までの距離を判断することができ（D音の音量が大きいほど車両が近くにいる）、D音の高低から車速を判断することができ（D音が高音であるほど高車速である）、D音のみから車両がどの程度の速度で、どこまで接近しているかを知ることができる。
【００５２】
次のステップＳ28においては、発進後の車速VがD音不要車速下限値（D音フェードアウト車速）30Km/h以上になったか否かをチェックし、ステップＳ28での判定が「No」である場合、ステップＳ29において今度は、車速Vが、D音不要車速下限値（D音フェードアウト車速）30Km/hよりもヒステリシス分（5Km/h）だけ低いD音フェードイン車速25Km/h未満であるか否かをチェックする。
ステップＳ28で発進後の車速VがD音不要車速下限値（D音フェードアウト車速）30Km/h以上になったと判定する場合、ステップＳ31において、ステップＳ27で発生させたD音が徐々に小さくなって消えるよう（フェードアウトするよう）車室外スピーカ1を作動させる。
【００５３】
ステップＳ29で車速VがD音フェードイン車速25Km/h未満であると判定する場合、ステップＳ32において、D音が発生中か否かをチェックし、ステップＳ31の実行によりD音が発生中でなくなっていれば、ステップＳ33において、D音が音圧レベル0から徐々に大きくなるよう（フェードインするよう）車室外スピーカ1を作動させる。
ステップＳ32でD音が発生中であると判定する場合、制御をそのまま終了することにより、引き続きD音が発生するよう車室外スピーカ1を作動させる。
【００５４】
ステップＳ29で車速VがD音フェードイン車速25Km/h以上であると判定する場合、つまり車速VがD音不要車速下限値（D音フェードアウト車速）30Km/hと、D音フェードイン車速25Km/hとの間におけるヒステリシス領域の車速である場合、
制御をそのまま終了することにより、車室外スピーカ1の作動状態を今の状態に保持して、D音発生状況を今の状態に保つ。
【００５５】
なお、ステップＳ24でイグニッションスイッチ18がOFFの走行不能状態であると判定する場合、D音が不要であるから、制御をステップＳ31に進めて、D音がフェードアウトするよう車室外スピーカ1を作動させる。
【００５６】
また、ステップＳ25でDレンジ選択状態に非ずと判定したり、未だDレンジ選択状態のままであるもののステップＳ26で停車中と判定する場合も、D音が不要であるから、D音がフェードアウトするよう車室外スピーカ1を作動させる必要があるが、この場合のD音制御を特に以下のごとくに行うこととする。
まずステップＳ34において、車速V＝0Km/hの停車状態が設定時間（ここでは10秒）続いたか否かをチェックし、ここでの判定結果が「Yes」である場合に制御をステップＳ31に進めて、D音がフェードアウトするよう車室外スピーカ1を作動させる。
【００５７】
ステップＳ34で、車速V＝0Km/hの停車状態でないと判定したり、停車状態になってもこの停車状態が設定時間（10秒）以上続かないと判定する場合、
ステップＳ35でPレンジまたはNレンジの非走行レンジか否かをチェックし、その判定結果が「Yes」であれば、
ステップＳ36において車速Vが停車判定車速Vs未満の停車判定中か否かをチェックし、その判定結果が「Yes」であれば、
ステップＳ31において、D音がフェードアウトするよう車室外スピーカ1を作動させることとする。
【００５８】
つまり、ステップＳ34で車速V＝0Km/hの停車状態でないと判定したり、停車状態になってもこの停車状態が設定時間（10秒）以上続かないと判定する間は、
選択レンジが非走行レンジ（P,Nレンジ）であり（ステップＳ35）、且つ、車速Vが停車判定車速Vs未満の停車判定中である（ステップＳ36）時に、D音が不要であることから、D音のフェードアウトを行わせる（ステップＳ31）。
【００５９】
しかし、ステップＳ35で非走行レンジ（P,Nレンジ）でないと判定する時や、ステップＳ35で非走行レンジ（P,Nレンジ）であると判定してもステップＳ36で車速Vが停車判定車速Vs以上であると判定する走行判定中は、D音が必要であることから、制御をステップＳ27へ進めることにより、D音を発生し続けるよう車室外スピーカ1を引き続き作動させる。
【００６０】
なお、かようにステップＳ35で非走行レンジ（P,Nレンジ）であると判定してもステップＳ36で車速Vが停車判定車速Vs以上であると判定する走行判定中、D音を発生し続けるようにすれば、
Dレンジから非走行レンジ（PまたはNレンジ）に切り換えても未だ惰性により車両が走行している場合に、D音が引き続き車室外スピーカ1から発生し続けることとなり、このような場合も車両の前端部付近に居る人に車両走行中の警報を確実に発して注意を促すことができる。
【００６１】
また本実施例にあっては、ステップＳ25でDレンジ選択状態に非ずと判定したり、未だDレンジ選択状態であるもののステップＳ26で停車中と判定したことによりD音が不要になった場合、直ちにステップＳ31でD音をフェードアウトさせずに発生させ続け、ステップＳ34で車速V＝0Km/hの停車状態が設定時間（10秒）続いたと判定したときに初めてステップＳ31でのD音フェードアウトを行うようにしたため、
車速V＝0Km/hの停車状態が設定時間（10秒）続かないような渋滞路で、停車の度にD音がフェードアウトされ、図6のS音制御によりS音が発生する（ステップＳ15）煩わしさを回避することができる。
かかる目的を更に確実に達成するためには、上記の設定時間は渋滞路での停車時間を計測しつつ自動的に、或いは運転者が渋滞路での停車時間を考慮しつつ手動で変更し得るようにするのが良い。
【００６２】
更に本実施例においては、図6のステップＳ13またはステップＳ14でブレーキペダルの釈放によりブレーキスイッチ15がONからOFFへ切り替わったと判定したときに、ステップＳ15でS音を発生させることとしたため、
ブレーキペダルを踏み込み状態からゆっくり戻す操作を行っている間は、未だブレーキペダルが釈放されておらず、ブレーキスイッチ15がONからOFFへ切り替わる前であることによって、ステップＳ15でのS音発生が実行されない。
【００６３】
ところで、かかる緩やかなブレーキペダル戻し操作によっても制動力は低下し、車両が例えばクリープ力や、降坂路の路面勾配に起因して動き出すことがあり、かかる車両の動き出しも車両付近の人に警報する必要がある。
しかし当該車両動き出しの警報は、車両が動き出した後の警報であることから、発進を警報するS音よりも、走行を警報するD音の方が適切である。
【００６４】
しかして本実施例では図7に示すごとく、S音が発生しないようなブレーキペダルの緩速戻し操作が行われる場合は、図7のステップＳ21が制御をステップＳ24〜ステップＳ26に進めるようにし、ステップＳ26で車速Vが停車判定車速Vs以上であると判定する走行判定中、ステップＳ27でD音を発生させるようにしたため、
ブレーキペダルの緩速戻し操作で車両が動き出した場合は、S音に代えていきなりD音が発生されることとなり、当該車両の動き出しを、発進警報用のS音よりも適切な走行警報用のD音により確実に警報することができる。
【００６５】
＜後退警報音（R音）＞
後退警報音（R音）の制御に当たり、図5の警報音コントローラ12は図8の制御プログラムを実行して当該制御を行う。
先ずステップＳ41においてイグニッションスイッチ18がONの走行可能状態か否かをチェックし、
走行可能状態であれば、ステップＳ42においてRレンジ選択状態か否かをチェックし、
Rレンジ選択状態であれば、ステップＳ43において、R音が発生するよう車室外スピーカ1を作動させる。
【００６６】
つまり、イグニッションスイッチ18がONの走行可能状態で（ステップＳ41）、Rレンジが選択されると（ステップＳ42）、直ちにR音を発生させる（ステップＳ43）。
このR音は前記した通り、Rレンジ選択中に車室内スピーカ11から発生させる「Rレンジ選択音」と同じ間歇音とし、ステップＳ43で車室外スピーカ1からR音（間歇音）を発生させるに際しては、車室内スピーカ11から発生する間歇的「Rレンジ選択音」に同期して発生させる。
なお、この同期に際しては逆に、車室外スピーカ1からのR音（間歇音）に車室内スピーカ11からの間歇的「Rレンジ選択音」を同期させるようにしてもよい。
【００６７】
いずれにしても、車室外スピーカ1からのR音（間歇音）と、車室内スピーカ11からの間歇的「Rレンジ選択音」とを上記のように同期させる場合、
運転者には聞かせる必要のない車室外スピーカ1からのR音が、車室内スピーカ11からの間歇的「Rレンジ選択音」に被せられて、運転者に聞こえることがなく、車室外スピーカ1からの無用なR音が運転者に聞こえる煩わしさを解消し得ると共に、
上記したR音（間歇音）と間歇的「Rレンジ選択音」との同期により、車室外スピーカ1からのR音（間歇音）および車室内スピーカ11からの間歇的「Rレンジ選択音」の何れも発生していない期間が長くなり、この期間中に他の警報音、例えば前記した「障害物接近警報」などを車室内スピーカ11から発して、運転者に確実かつ速やかに認知させることができる。
【００６８】
ステップＳ41でイグニッションスイッチ18がOFFの走行不能状態であると判定する場合、後退走行が不能であってR音の発生も無用であることから、制御をそのまま終了させてステップＳ43をスキップすることにより、R音を発生させないようにする（車室外スピーカ1を非作動状態にする）。
【００６９】
ステップＳ42でRレンジ選択状態でないと判定する場合は、ステップＳ44において非走行レンジ（PまたはNレンジ）選択状態か否かをチェックし、非走行レンジ（PまたはNレンジ）選択状態でもない、つまりDレンジ選択状態であると判定する判定するときは、R音の発生が不要であることから、制御をそのまま終了させてステップＳ43をスキップすることにより、R音を発生させないようにする（車室外スピーカ1を非作動状態にする）。
【００７０】
ステップＳ44で非走行レンジ（PまたはNレンジ）選択状態と判定する場合は、ステップＳ45において車速Vが停車判定車速Vs未満の停車判定中か否かをチェックし、停車判定中ならステップＳ46において、ステップＳ43で発生させたR音が徐々に小さくなって消えるよう（フェードアウトするよう）車室外スピーカ1を作動させる。
【００７１】
しかし、ステップＳ44で非走行レンジ（PまたはNレンジ）選択状態と判定しても、ステップＳ45で車速Vが停車判定車速Vs未満の停車判定中でない（つまり走行判定中）であると認知した場合は、非走行レンジ（PまたはNレンジ）であっても車両が後退していることから、ステップＳ47に制御を進めて、ステップＳ43で発生させ始めたR音が引き続き発生するよう車室外スピーカ1を作動させ続ける。
かようにすることで、Rレンジから非走行レンジ（PまたはNレンジ）に切り換えても未だ惰性により車両が後退している場合は、R音が引き続き車室外スピーカ1から発生し続けることとなり、このような場合も車両の後端部付近に居る人に車両後退中の警報を確実に発して注意を促すことができる。
【００７２】
しかし、ステップＳ47でR音を発生させるのは、ステップＳ42でRレンジ選択状態でないと判定した場合であって、この時は前記したところから明らかなように車室内スピーカ11から「Rレンジ選択音」が発生していないため、ステップＳ43で行うような車室外スピーカ1からのR音と、車室内スピーカ11からの「Rレンジ選択音」との同期は不要である。
【００７３】
なお、図6,7につき前述した通りD音は、停車中（図6のステップＳ11）の運転者によるDレンジ選択およびブレーキペダル釈放のような発進準備操作（図6のステップＳ12〜ステップＳ14）に呼応したS音の発生後（同図のステップＳ15）、例えば500msecのような所定時間（図7のステップＳ22）が経過してから発生させるようにしたのに対し、
R音は図8につき前述した通り、運転者によるRレンジ選択操作（図8のステップＳ42）が行われると直ちに発生させるようにしたが（図8のステップＳ43）、その理由は以下のためである。
【００７４】
つまり、車両は前進走行を旨とするものであり、運転者にとって後退走行は、前進走行よりも難しいし、
周辺の人は、車両が通常前進方向へ移動するものと予測しており、前進走行には元々注意を払っているものの、後退走行は車両の予期せぬ方向への移動であるから、前進走行ほどの注意を払っていないのが実情である。
【００７５】
そのため、後退走行時に警報のために発生させるべき後退警報音（R音）は、運転者の不慣れな方向への走行時の警報音であること、また周辺の人が予期せぬ方向への走行時の警報音であるから、できるだけ早期に発生させて周辺の人に注意を促すのが安全上好ましい。
これに対し、前進走行時に警報のために発生させるべき前進警報音（D音）は、運転者の慣れた方向への走行時の警報音であること、また周辺の人が予期している車両本来の方向への走行時の警報音であるから、更にD音が前記した通りエンジン疑似音であり、車両の静粛性を確保するためにD音の発生時間をできるだけ短くするのがよいこととも相まって、D音はできるだけ遅くに発生させるのが好ましい。
【００７６】
本実施例ではかかる要求に鑑み、R音は前記したごとく、運転者によるRレンジ選択操作（図8のステップＳ42）が行われると直ちに発生させるようになし（図8のステップＳ43）、
D音は前記したごとく、停車中（図6のステップＳ11）の運転者によるDレンジ選択およびブレーキペダル釈放のような発進準備操作（図6のステップＳ12〜ステップＳ14）に呼応したソフトフォーン型式の柔らかいS音の発生後（同図のステップＳ15）、例えば500msecのような所定時間（図7のステップＳ22）が経過してから発生させるようになす。
かようにすることで、前進走行時も後退走行時も警報音を、必要なタイミングで、且つ必要な期間中に発生させることができると共に、不要な警報音で周辺の人を困惑させることがなくなる。
【００７７】
＜警報音禁止制御＞
深夜とか、住宅街においては、S音、D音、R音のような車室外スピーカ1からの警報音が迷惑になることがあり、このような場合、運転者は図5の消音スイッチ16を押して、警報音禁止指令を発する。
ここで消音スイッチ16は、押されていないとき自己復帰して常態位置（OFF位置）に保たれ、押す度にONされて警報音禁止指令を発するものとする。
【００７８】
図5の警報音コントローラ12は、消音スイッチ16から上記警報音禁止指令を入力されるとき、図9の制御プログラムを実行して、以下のように警報音禁止制御を遂行する。
ステップＳ51においては、消音スイッチ16がONされたか否かをチェックし、上記警報音禁止指令の有無をチェックし、消音スイッチ16がONされない（警報音禁止指令が発せられない）間は、制御をそのまま終了して警報音の禁止を実行しないこととし、これにより図6〜8につき前述した通りに警報音を発生させる。
【００７９】
ステップＳ51で消音スイッチ16がONされた（警報音禁止指令が発せられた）と判定するとき、ステップＳ52において警報音の発生を禁止し、図6〜8による制御にかかわらず車室外スピーカ1から警報音（S音、D音、R音）が発生されることのないようにする。
【００８０】
次のステップＳ53においては、車速Vが、図7のステップＳ28につき前述したD音不要車速下限値（D音フェードアウト車速）30Km/h以上か否かをチェックし、ここでの判定結果が「No」であれば、制御をそのまま終了して、ステップＳ52での警報音発生禁止を継続させる。
ステップＳ53で車速VがD音フェードアウト車速（30Km/h）以上であると判定したとき、制御をステップＳ54に進め、ステップＳ52での警報音発生禁止を解除することにより、図6〜8による制御通りに車室外スピーカ1から警報音（S音、D音、R音）を発生させるようにする。
【００８１】
以上の警報音禁止制御によれば、深夜とか、住宅街のため、車室外スピーカ1からの警報音が迷惑になる場合において、運転者が消音スイッチ16を押すと（ステップＳ51）、図6〜8の制御にかかわらず車室外スピーカ1から警報音（S音、D音、R音）が発せられるのを禁止することができ（ステップＳ52）、車室外スピーカ1からの警報音で周辺の人が迷惑を被るのを回避することができる。
【００８２】
ところで、運転者が消音スイッチ16を押して警報音の発生を禁止した状態が継続すると、警報音が迷惑にならない場所まで走行した後も警報音が発せられないこととなり、安全装置としての警報装置がその用をなさない。
そこで本実施例においては、車速VがD音フェードアウト車速（30Km/h）以上になるとき（ステップＳ53）、警報音が迷惑にならない場所まで走行したと判断して、上記の警報音発生禁止を解除することにより（ステップＳ54）、図6〜8による制御通りに車室外スピーカ1から警報音（S音、D音、R音）を発生させ得るようにする。
【００８３】
かようにすることで、警報音が迷惑にならない場所まで走行した後も警報音が発せられずに、警報装置が安全装置としての用をなさないといった上記の問題を回避することができある。
【００８４】
なお本実施例のように、車速VがD音フェードアウト車速（30Km/h）以上になったのを警報音禁止解除条件とし、この条件が満足されるときをもって、警報音が迷惑にならない場所まで走行したと判断し、警報音の禁止を解除するようになす場合、以下の作用効果をも奏し得る。
【００８５】
つまり、警報音禁止解除条件を車速V<D音フェードアウト車速（30Km/h）とする場合、この低車速域が、前記したところから明らかなようにD音発生車速域であるため、この低車速域で消音スイッチ16を押して（ONして）警報音の禁止を行っても、消音スイッチ16から指を離したとき、未だ警報音が迷惑になる場所での走行であるにもかかわらず、直ちに警報音の禁止解除がなされて警報音が発生され、周辺の人に迷惑を掛けるという問題を生ずる。
【００８６】
しかし本実施例においては、車速VがD音フェードアウト車速（30Km/h）以上になったのを警報音禁止解除条件とし、この条件が満足されるときに警報音の禁止を解除するようにしたため、
車速VがD音フェードアウト車速（30Km/h）未満の低車速域（D音発生車速域）で消音スイッチ16をONしてこの消音スイッチ16から指を離したとき、警報音の禁止が解除されることなく継続されることとなり、未だ警報音が迷惑になる場所での走行であるにもかかわらず、警報音が発せられて周辺の人に迷惑を掛けるという上記の問題を回避することができる。
【００８７】
＜警報音増大制御＞
工場とか、繁華街のような騒々しい場所での走行に際しては、S音、D音、R音のような車室外スピーカ1からの警報音が、規定の音圧レベルだと周辺の人に聞き取りにくくなり、警報の用をなし難くなることがあり、このような場合、運転者は図5の増音スイッチ17を押して、警報音増大指令を発する。
ここで増音スイッチ17は、押されていないとき自己復帰して常態位置（OFF位置）に保たれ、押す度にONされて警報音増大指令を発するものとする。
【００８８】
図5の警報音コントローラ12は、増音スイッチ17から上記警報音増大指令を入力されるとき、図10の制御プログラムを実行して、以下のように警報音増大制御を遂行する。
ステップＳ61においては、増音スイッチ17がONされたか否かをチェックし、上記警報音増大指令の有無をチェックし、増音スイッチ17がONされない（警報音増大指令が発せられない）間は、制御をそのまま終了して警報音の増大を実行しないこととし、これにより図6〜8につき前述した通りに発生させる警報音の音圧レベルを規定値のままとする。
【００８９】
ステップＳ61で増音スイッチ17がONされた（警報音増大指令が発せられた）と判定するとき、ステップＳ62において警報音の増大を行い、図6〜8による制御下で発せられる車室外スピーカ1からの警報音（S音、D音、R音）の音圧レベルを、規定値よりも大きな音となるよう増大させるようにする。
【００９０】
次のステップＳ63においては、増音スイッチ17のON（警報音増大指令の発生）から一定時間が経過したか否かをチェックし、ここでの判定結果が「No」であれば、つまり増音スイッチ17のON（警報音増大指令の発生）から未だ上記の一定時間が経過していないと判定する場合は、制御をそのまま終了して、ステップＳ62での警報音の増大を継続的に実行させる。
ステップＳ63で増音スイッチ17のON（警報音増大指令の発生）から上記の一定時間が経過したと判定するとき、制御をステップＳ64に進め、ステップＳ62での警報音の増大をキャンセルすることにより、図6〜8による制御下で発生される車室外スピーカ1からの警報音（S音、D音、R音）の音圧レベルを規定値まで低下させるようにする。
発生させるようにする。
【００９１】
以上の警報音増大制御によれば、工場とか、繁華街のような騒々しい場所のため、周辺の人が車室外スピーカ1からの警報音を聞き取りにくい場合に、運転者が増音スイッチ17を押すと（ステップＳ61）、図6〜8の制御下で発せられる車室外スピーカ1からの警報音（S音、D音、R音）を音圧レベルの上昇により増大させることができ（ステップＳ62）、工場とか、繁華街のような騒々しい場所でも確実に車室外スピーカ1からの警報音を周辺の人が聞き取ることができる。
【００９２】
ところで、運転者が増音スイッチ17を押して警報音を増大させた状態が続くと、騒々しくないない場所まで走行したときに、周辺の人が規定よりも大きな警報音で迷惑を被ることになる。
そこで本実施例においては、増音スイッチ17のON（警報音増大指令の発生）から上記の一定時間が経過するとき（ステップＳ63）、上記警報音の増大をキャンセルすることにより（ステップＳ64）、図6〜8による制御下で発生される車室外スピーカ1からの警報音（S音、D音、R音）を、音圧レベルが規定のレベルになるよう低下させ得るようにする。
【００９３】
かようにすることで、増音スイッチ17のONから上記の一定時間が経過したときは、騒々しくない郊外や、住宅地のように、静かな場所まで走行したとの判断により、車室外スピーカ1からの警報音（S音、D音、R音）を規定音圧レベルまで低下させることとなって、増音スイッチ17のONによる警報音増大状態がいつまでも続くことがなくなり、静かな場所で車両の付近に居る人が大きな警報音により迷惑を被ることがなくなる。
【００９４】
＜実施例の作用効果＞
上記した実施例になる車両の警報音発生装置にあっては、車体のモータルーム（動力源ルーム）内における既存空間のうち、車室外スピーカ（警報音発生源）1の共鳴箱となり得て、且つ、車輪が跳ね上げた泥水や石、そして雨や雪や高圧洗車水のような異物が侵入しない既存空間として、アドオンフレーム3と、エアガイド4と、フェンダーカバー5と、ボンネット（図示せず）とで囲まれた既存空間に着目し、この既存空間内に車室外スピーカ（警報音発生源）1を設置し、
この既存空間を、車室外スピーカ（警報音発生源）1の共鳴箱として利用するよう構成したことから、
本実施例の車両用警報音発生装置が無指向性のものとなり、車室外スピーカ（警報音発生源）1が1個のみでも、またこの車室外スピーカ（警報音発生源）1を直接車体外側に向けた外向き配置にしなくても、前記した従来技術のように複数個の警報音発生源を車両の前後に配置することなく、これと同等な警報作用が得られる。
【００９５】
そして、上記の通り車室外スピーカ（警報音発生源）1が1個のみでよいことから、その取り付けブラケット分を含めて相当なコスト低減を実現し得る共に、車室外スピーカ（警報音発生源）1のレイアウトに難儀することもなくなる。
【００９６】
また、上記の通り車室外スピーカ（警報音発生源）1を直接車体外側に向けた外向き配置にしなくてもよいことから、
車輪が跳ね上げた泥水や石により車室外スピーカ（警報音発生源）1が汚損や損傷を受けることがないと共に、雨や雪や高圧洗車水を車室外スピーカ（警報音発生源）1が被って故障することもなくなる。
【００９７】
＜その他の実施例＞
なお、図1〜4に示した実施例になる車両の警報音発生装置では、車室外スピーカ1からの警報音がエアガイド4に衝突してこれにより反射され、上記の既存空間内で拡散された後、この既存空間の画成壁面を提供するアドオンフレーム3、エアガイド4、フェンダーカバー5およびボンネット（図示せず）間の隙間や、これら自身に明けられている位置決め孔などの既存孔など、上記既存空間画成壁面の開口部より車外へ放散されるようにしたが、
エアガイド4に衝突して反射され、上記の既存空間内で拡散された後の警報音が外部に放散するときに通過する上記既存空間画成壁面の開口部は、上記した既存の隙間や、既存の位置決め孔などに限られるものではなく、新設した隙間や孔などもよいのは言うまでもない。
【００９８】
また、上記の既存空間は図示例のように車体のモータルーム（動力源ルーム）内における既存空間に限られるものではなく、車体内に存在する任意の既存空間を利用することができる。
しかし、車室外スピーカ（警報音発生源）1の共鳴箱となり得て、且つ、車輪が跳ね上げた泥水や石、そして雨や雪や高圧洗車水のような異物が侵入しないという条件を満たす既存空間は、車体のモータルーム（動力源ルーム）内に多く存在しており、既存空間を確保しやすい点において車体のモータルーム（動力源ルーム）内における既存空間を利用するのが有利である。
【００９９】
更に既存空間と称するは、図示例のように全て既存の車体構成メンバで画成されている必要はなく、新たなメンバを追加して上記の2要件を満足するような既存空間となるものをも含むのは勿論であり、
また、車室外スピーカ1からの警報音が衝突して反射するメンバも、図示例のように既存のもの（エアガイド4）に限られず、新たなメンバを車室外スピーカ1と向かい合わせになるよう追加し、この新たなメンバに車室外スピーカ1からの警報音が衝突して反射されるようにしてもよいのは勿論である。
【符号の説明】
【０１００】
1  車室外スピーカ（警報音発生源）
2  駆動源ユニット
3  アドオンフレーム（既存空間画成壁面）
4  エアガイド（既存空間画成壁面）
5  フェンダーカバー（既存空間画成壁面）
6  ブラケット
11  車室内スピーカ
12  警報音コントローラ
13  レンジセンサ
14  車速センサ
15  ブレーキスイッチ
16  消音スイッチ
17  増音スイッチ
18  イグニッションスイッチ
19  障害物接近距離センサ
【図１】
0005560753.tif 000002
【図２】
0005560753.tif 000003
【図３】
0005560753.tif 000004
【図４】
0005560753.tif 000005
【図５】
0005560753.tif 000006
【図６】
0005560753.tif 000007
【図７】
0005560753.tif 000008
【図８】
0005560753.tif 000009
【図９】
0005560753.tif 000010
【図１０】
0005560753.tif 000011